(57)【要約】【課題】軽量化できる直管形ランプ及び照明装置を提供する。【解決手段】直管形ランプは、光源としての発光素子５１１を備える光源ユニット５１と、光源ユニット５１を支持する支持体５３と、光源ユニット５１に電力を供給するための電源ユニット５５と、電源ユニット５５を収容する金属製の筒体５７と、支持体５３と筒体５７とを収容する透光性カバー体５９とを備え、支持体５３は、樹脂材料から構成され、筒体５７に装着されている。【選択図】図４
2020004662.tif 000002
【特許請求の範囲】
【請求項１】
光源としての発光素子を備える光源ユニットと、
前記光源ユニットを支持する支持体と、
前記光源ユニットに電力を供給するための電源ユニットと、
前記電源ユニットを収容する金属製の筒体と、
前記支持体と前記筒体とを収容する透光性カバー体と
を備え、
前記支持体は、樹脂材料から構成され、前記筒体に装着されている
直管形ランプ。
【請求項２】
前記支持体は、前記筒体に着脱可能に装着されている
請求項１に記載の直管形ランプ。
【請求項３】
前記透光性カバー体の内部に収容され且つ前記筒体の端部を支持して前記筒体を位置決めする位置決め体を備え、
前記筒体は前記位置決め体と結合するための結合部を有し、
前記支持体は前記結合部に係合する係合片を有する
請求項２に記載の直管形ランプ。
【請求項４】
前記筒体と前記位置決め体との結合にねじを利用し、
前記結合部は、筒軸に沿って延伸し且つ筒軸方向の端部で前記ねじが螺合するねじ部である
請求項３に記載の直管形ランプ。
【請求項５】
前記光源ユニットは、前記筒体の筒軸方向と平行に並設する２つの光源モジュールを備え、
前記２つの光源モジュールは、前記筒軸方向の一端側が前記電源ユニットに接続され、前記筒軸方向の他端同士が前記位置決め体に設けられた導電片により接続されている
請求項３又は４に記載の直管形ランプ。
【請求項６】
設置面に設置される器具と、当該器具に着脱自在に装着される直管形ランプとを備える照明装置において、
前記直管形ランプは請求項１〜５の何れか１項に記載の直管形ランプである
照明装置。
【発明の詳細な説明】
【技術分野】
【０００１】
本発明は、長尺状の防水型の照明装置に関するものである。
【背景技術】
【０００２】
発光素子を光源にした照明装置は主に屋内で使用されてきたが、近年、駅のホーム等の屋根付きの屋外での使用が検討され、防水性を有する直管形ランプが提案されている（例えば、特許文献１）。
特許文献１に記載の直管形ランプは、内部に電源ユニットを収容する筒部と、発光素子が基板に実装されてなる光源モジュールを支持する支持部とを一体で有する筒体（２１）を備えている。
【先行技術文献】
【特許文献】
【０００３】
【特許文献１】特開２０１７−３３７２６号公報
【発明の概要】
【発明が解決しようとする課題】
【０００４】
上記構成の直管形ランプでは、筒体が金属材料で構成されているため、重量が重くなるという課題がある。
本発明が解決しようとする課題は、軽量化できる直管形ランプ及び照明装置を提供することにある。
【課題を解決するための手段】
【０００５】
本発明に係る直管形ランプは、光源としての発光素子を備える光源ユニットと、前記光源ユニットを支持する支持体と、前記光源ユニットに電力を供給するための電源ユニットと、前記電源ユニットを収容する金属製の筒体と、前記支持体と前記筒体とを収容する透光性カバー体とを備え、前記支持体は、樹脂材料から構成され、前記筒体に装着されている。
本発明に係る照明装置は、設置面に設置される器具と、当該器具に着脱自在に装着される直管形ランプとを備え、前記直管形ランプは上記構成を有する。
【発明の効果】
【０００６】
本発明によれば、支持体を樹脂材料により構成したため、全体が金属製の筒体に対して軽量化できる。
【図面の簡単な説明】
【０００７】
【図１】実施形態に係る照明装置であって器具から直管形ランプを取り外した状態を裏側から見た斜視図である。
【図２】器具から直管形ランプを取り外した状態を表側から見た斜視図であり、器具の一部を切り欠いている。
【図３】（ａ）は直管形ランプを一端側から見た側面図であり、（ｂ）は直管形ランプを他端側から見た側面図である。
【図４】（ａ）は直管形ランプの縦断面であって一端側を拡大した図であり、（ｂ）は直管形ランプの一端側の横断面図である。
【図５】直管形ランプの一端側の分解状態を一端側の裏側から見た斜視図である。
【図６】直管形ランプの一端側の分解状態を他端側の裏側から見た斜視図である。
【図７】（ａ）は直管形ランプの縦断面であって他端側を拡大した図であり、（ｂ）は直管形ランプの他端側の横断面図である。
【図８】直管形ランプの他端側の分解状態を他端側の裏側から見た斜視図である。
【図９】直管形ランプの他端側の分解状態を一端側の裏側から見た斜視図である。
【図１０】筒体から支持体を取り外した状態を裏側から見た斜視図である。
【図１１】ランプ側装着具周辺での横断面を裏側から見た斜視図である。
【図１２】（ａ）光源ユニットと位置決め体の導通片との接続状態を表裏反転させた斜視図であり、（ｂ）は位置決め体の斜視図である。
【図１３】変形例に係る光源ユニットと導通片との接続状態を示す斜視図である。
【発明を実施するための形態】
【０００８】
本発明の一態様に係る直管形ランプは、光源としての発光素子を備える光源ユニットと、前記光源ユニットを支持する支持体と、前記光源ユニットに電力を供給するための電源ユニットと、前記電源ユニットを収容する金属製の筒体と、前記支持体と前記筒体とを収容する透光性カバー体とを備え、前記支持体は、樹脂材料から構成され、前記筒体に装着されている。
別態様に係る直管形ランプにおいて、前記支持体は、前記筒体に着脱可能に装着されている。これにより、光源ユニットと電源ユニットを近接して配置することができる。
別態様に係る直管形ランプにおいて、前記透光性カバー体の内部に収容され且つ前記筒体の端部を支持して前記筒体を位置決めする位置決め体を備え、前記筒体は前記位置決め体と結合するための結合部を有し、前記支持体は前記結合部に係合する係合片を有する。これにより、筒体の構造を簡単にすることができる。
【０００９】
別態様に係る直管形ランプにおいて、前記筒体と前記位置決め体との結合にねじを利用し、前記結合部は、筒軸に沿って延伸し且つ筒軸方向の端部で前記ねじが螺合するねじ部である。これにより、筒体として押出品を利用できる。
別態様に係る直管形ランプにおいて、前記光源ユニットは、前記筒体の筒軸方向と平行に並設する２つの光源モジュールを備え、前記２つの光源モジュールは、前記筒軸方向の一端側が前記電源ユニットに接続され、前記筒軸方向の他端同士が前記位置決め体に設けられた導電片により接続されている。これにより、位置決め体を結合する（組み込む）ことにより、電気的接続を行うことができる。
本発明の一態様に係る照明装置は、設置面に設置される器具と、当該器具に着脱自在に装着される直管形ランプとを備える照明装置において、前記直管形ランプは上記に記載の直管形ランプである。
＜第１の実施形態＞
【００１０】
１．全体構成
照明装置１について、図１及び図２を用いて説明する。
照明装置１は、設置面に設置される器具３と、器具３に着脱自在に装着される直管形ランプ５とを備える。ここでの照明装置１は長尺タイプである。長尺に沿う方向を長さ方向とし、長さ方向と直交し且つ設置面と直交する方向を高さ方向とし、長さ方向と高さ方向とに直交する方向を幅方向とする。なお、照明装置１から光が出射される側を表側にし、反対側を裏側とする。
直管形ランプ５は下方を照射する光源ユニット５１を有する（図４の（ｂ）参照）。つまり、器具３の設置面は天井、屋根等のように上方に存在する。照明装置１は駅のホーム等の屋外にも使用できる防雨・防湿型である。
器具３と直管形ランプ５との電気的接続は、図示しないが、器具３内に引き込まれた電源ケーブルと、直管形ランプ５の外部に引き出された外ケーブルとを結線することで行われる。なお、結線部分は、防水性能の高い絶縁カバーで覆われる。
以下、各装置について詳細に説明する。
【００１１】
２．器具
主に図１及び図２を用いて説明する。
器具３は例えば吊りボルト等（図示省略）により設置面に固定される。
器具３は、図１に示すように、器具側ベース３１と器具側端部カバー３２とを備える。器具３は、図２に示すように、直管形ランプ５を着脱自在に装着するための一対の器具側装着具３３や、直管形ランプ５を位置決め状態で支持する器具側支持具３４を備える。ここでは、器具側装着具３３は、長さ方向の両端側に配され、合計で２個ある。器具側支持具３４は、長さ方向の両端側と両端間とに配され、合計で４個ある。
【００１２】
器具側ベース３１は、例えば一枚の金属板を下方が開放する「コ」字状に屈曲させてなり、天板部３１１と一対の側板部３１３を有する。なお、器具側ベース３１の長さ方向の両端は器具側端部カバー３２で塞がれる。天板部３１１には、設置面への取付用の貫通孔３１１ａや電源ケーブル用の貫通孔３１１ｂ等の貫通孔が形成されている他、器具側装着具３３や器具側支持具３４が取付けられる。
【００１３】
器具側装着具３３は、図１に示すランプ側装着具７５を利用して直管形ランプ５を装着する。器具側装着具３３は、１本の線条体（金属線）を利用し、線条体の中間部が長さ方向の外方へ「コ」字状に湾曲してなる係止部３３１となっており、線条体の両端部がコイルばね部３３３となっている。これにより、係止部３３１が天板部３１１に対して遠近方向に弾性変形可能となる。
器具側支持具３４は、図２に示すように、凹入部分３４１を幅方向の中央に有する下板部３４３と、下板部３４３の幅方向の両端から天板部３１１へと延伸して当該天板部３１１に固定される側板部３４５とを有する。凹入部分３４１に、図１に示す直管形ランプ５の一対のレール５９３が嵌合する。
【００１４】
３．直管形ランプ
主に図１〜図１０を用いて説明する。
直管形ランプ５は、図５及び図８に示すように、光源部を構成する光源ユニット５１と、光源ユニット５１を支持する支持体５３と、光源ユニット５１に電力を供給するための電源ユニット５５（図４の（ａ）参照）と、電源ユニット５５を収容する筒体５７と、支持体５３と筒体５７とを収容する透光性カバー体５９とを備える。ここでの支持体５３は、樹脂材料から構成され、筒体５７に装着される。
【００１５】
直管形ランプ５は、透光性カバー体５９の内部に配され且つ筒体５７の位置決めを行う位置決め体６３，６５を備える。直管形ランプ５は、透光性カバー体５９の端部を塞ぐ蓋体６７，６９と、透光性カバー体５９の端部と蓋体６７，６９との間に配されたパッキン７１，７３とを備える。直管形ランプ５は、透光性カバー体５９に設けられ且つ器具３に装着されるランプ側装着具７５を備える。直管形ランプ５は透光性カバー体５９の両端及び蓋体６７，６９を覆う端部カバー７７を備える。
なお、長さ方向において、電源ユニット５５が存在する側を一端側とし、その反対側を他端側とする。
各部について説明する。
【００１６】
（１）光源ユニット
図４の（ｂ）及び図７の（ｂ）に示すように、光源ユニット５１は、発光素子の一例であるＬＥＤ素子５１１と、当該ＬＥＤ素子５１１が実装される基板５１３とを備える。基板５１３は長尺状をし、表面に配線パターンを有するプリント基板である。
光源ユニット５１は２枚の基板５１３を直列接続で備える。２枚の基板５１３は、長さ方向の一端側の端子が電源ユニット５５と配線を介して接続され、他端側の端子が、図１２の（ａ）に示すように位置決め体６５に設けられた導通片８１により電気的に接続されている。
なお、２枚の基板５１３の他端側の端子５１３ａは、導通片８１の延伸部８１３と嵌合するための溝５１３ｂを有している。
【００１７】
（２）支持体
図５及び図８に示すように、支持体５３は筒体に５７に装着されている。
支持体５３は、図１０に示すように、光源ユニット５１を装着するための装着領域を有する板状部５３１と、筒体５７に装着するための装着部（係合片５３６）とを有する。
【００１８】
板状部５３１は長尺板状をしている。板状部５３１は、幅方向の中央部分に平坦部分５３２を、平坦部分５３２の幅方向の端部から設置面（裏側）側へと傾斜する傾斜部分５３３をそれぞれ有している。平坦部分５３２の表面に光源ユニット５１用の装着領域が構成される。
板状部５３１は光源ユニット５１を係止する係止部分５３５を有している。係止部分５３５は、基板５１３の幅方向の端部を係止し、装着領域の幅方向の両端に一対で設けられている。一対の係止部分５３５と平坦部分５３２とで幅方向の両側に形成された溝に基板５１３が支持体５３の長さ方向の端から挿入される。なお、平坦部分５３２は、３枚の基板５１３を装着できるように、３組の係止部分５３５を幅方向に有している。２枚の基板５１３は、幅方向の両側に配され、係止されている。
【００１９】
板状部５３１の平坦部分５３２は幅方向と長さ方向とに広がる。
板状部５３１の平坦部分５３２の裏面は筒体５７と接触する。つまり、支持体５３は、筒体５７と平坦部分５３２とが接触する状態で、筒体５７に装着される。
支持体５３は、ＬＥＤ基板、反射板、反射シート等を実装可能とするために一対の係止部分５３４を傾斜部分５３３に有している。一対の係止部分５３４と傾斜部分５３３とで、ＬＥＤ基板、反射板、反射シート等を装着するための装着溝が形成される。
【００２０】
装着部は板状部５３１に設けられている。装着部は、筒体５７の幅方向の両側に形成されている装着部（Ｃ字状部５７４）に係合する係合片５３６により構成されている。係合片５３６は、板状部５３１の傾斜部分５３３の裏面から裏画側に延伸する延伸領域５３６ａと、延伸領域５３６ａの裏側端から筒体５７の係止部（５７４）の外周面に沿って延伸する係止領域５３６ｂとを有する。ここでの係止領域５３６ｂは幅方向の内側に向かって延伸している。
支持体５３の筒体５７への装着は、係合片５３６が弾性変形可能な場合（例えば、ポリカーボネート等である）、筒体５７（第１Ｃ字状部５７４）を支持体５３（係合片５３６）に押し込んで係合片５３６を幅方向の外側へと広げて（弾性変形させて）、係合させてもよい。また、係合片５３６と板状部５３１とで形成された溝（５３８）に、支持体５３の長さ方向の端から筒体５７の係合部（第１Ｃ字状部５７４）を挿入（スライド）させてもよい。
【００２１】
支持体５３は、図１０に示すように、筒体５７に対して位置決めする位置決め部５３７を有する。位置決め部５３７は、筒体５７の表面側に形成されている凹み（段差）に進入する凸部分により構成される。ここで凸部分は、長さ方向に沿って設けられた凸条をしている。なお、位置決め部５３７は、板状部５３１の裏面であって幅方向に
間隔をおいた２箇所に設けられている。
なお、位置決め部５３７と係合片５３６は、図１１に示すように、板状部５３１とで筒体５７の係合部（５７４）が嵌合する嵌合溝５３８を構成しているといえる。図１２において、嵌合溝５３８を示す引き出し線は、傾斜部分５３３や係合片５３６の引き出し線と区別するための、先端を矢印としている。
【００２２】
（３）電源ユニット
電源ユニット５５は、電源ケーブル及び外部ケーブルを介して受電して光源ユニット５１の点灯電力を生成する電源回路を有する。電源回路は、図４の（ａ）に示すように、複数の電子部品５５２を電源基板５５１に実装することで構成されている。なお、電源基板５５１には外部ケーブルと接続するためのコネクタ５５３が設けられている。電源回路は、筒状の電源ケース５５４に収容された状態で筒体５７内に収容されている。なお、電源ケース５５４は絶縁性の樹脂材料により構成されている。
【００２３】
電源ケース５５４の長さ方向の開口端部はケース蓋体５５５により塞がれる。ケース蓋体５５５は電源ケース５５４の両側に２個あるが、図４の（ａ）では、図面の関係上、一端側に位置するケース蓋体５５５のみが現れている。一端側のケース蓋体５５５は外部ケーブル用の貫通孔５５５ａを有している。
電源ケース５５４の固定は、図５及び図６に示すように、ケース蓋体５５５に対して電源ケース５５４の外側部位で筒体５７を挿通するねじ９１により行われる（電源ケース５５４の他端側も同様である）。なお、一端側のねじ９１にはアース端子８３が接続される。
【００２４】
（４）筒体
筒体５７は内部に電源ユニット５５を収容する。筒体５７は、金属材料（アルミニウム）により構成され、直管形ランプ５の構造部材を構成する。筒体５７は、図４に示すように、電源ユニット５５を収容する筒部５７１と、支持体５３を装着するための装着部（第１Ｃ字状部５７４）とを有する。筒体５７は、位置決め体６３,６５を結合するための結合部（第１Ｃ字状部５７４）を有している。
【００２５】
（４−１）筒部
筒部５７１は、図４の（ｂ）に示すように、横断面形状が矩形状又は矩形状に近い形状（以下、矩形等の形状とする）をしている。矩形等の形状の長辺は幅方向に延伸し、表側（支持体５３側）に位置する表面は支持体５３の平坦部分５３２と当接する。これにより、光源ユニット５１の点灯中の熱を筒体５７へと伝えることができる。
筒体５７は矩形等の形状の筒部５７１の表側の２角部分に段差部５７３を有する。段差部５７３は表側の長辺部分における幅方向の端部から裏側に凹入する。段差部５７３は、図４の（ｂ）及び図７の（ｂ）に示すように、電源ユニット５５の電源ケース５５４の表面を支持する。これにより、電源ユニット５５を筒部５７１との接触を少ない状態で筒部５７１内に収容できる。
【００２６】
（４−２）装着部
装着部は筒部５７１の外周面に形成されている。図１０に示すように、一例としての装着部は、筒部５７１の表側に形成されている。装着部は筒部５７１の短辺部における段差部５７３の表側部分（矩形等の形状の支持体５３に近い側の角部分）に形成されている。これにより支持体５３の装置部（係合片５３６）を小さく（高さ方向の寸法を短く）できる。
装着部は、筒部５７１の筒軸（筒軸の延伸方向を筒軸方向とし、長さ方向と平行である）と平行に延伸するねじ部を利用している。ここでのねじ部は第１Ｃ字状部５７４により構成されている。第１Ｃ字状部５７４は幅方向の外方が開口する。第１Ｃ字状部５７４の外周面（正確には外周面であって裏側部分である）に支持体５３の係合片５３６が係合する。これにより、支持体５３が筒体５７に装着される。
【００２７】
（４−３）結合部
結合部の１つは、上述の第１Ｃ字状部５７４である。
長手方向に延伸する第１Ｃ字状部５７４の端部には、位置決め体６３,６５や蓋体６７,６９を筒体５７に結合するためのねじ（タッピンねじ）９２（図５及び図８参照）が螺号する。このように、第１Ｃ字状部５７４の内周にはねじ９２が螺合するため、第１Ｃ字状部５７４はねじ部の一例といえる。
なお、結合部の一例である第１Ｃ字状部５７４は、位置決め体６３,６５や蓋体６７,６９を結合するためのもので、ねじ（タッピンねじや小ねじを含む）と螺合できる構成を有していればよく、例えば、結合部は円筒状部であってもよい。
【００２８】
筒体５７は、位置決め体６３，６５のみと結合するための結合部を有している。この結合部は、筒部５７１の短辺部分に形成された第２Ｃ字状部５７５により構成される。第２Ｃ字状部５７５にはねじ９３（図５及び図８参照）が螺号する。なお、結合部の一例である第２Ｃ字状部５７５は、ねじ（タッピンねじや小ねじを含む）と螺合できる構成を有していればよく、例えば、結合部は円筒状部であってもよい。
ここでの第１Ｃ字状部５７４に内周径は、第２Ｃ字状部５７５の内周径よりも大きく構成され、支持体５３の係合片５３６との係合面積を大きくできる。
なお、筒体５７は押出成形された押出品を利用することができ、装着部及び結合部を安価に設けることができる。
【００２９】
（５）透光性カバー体
透光性カバー体５９は、図５及び図８に示すように、筒状をし、透光性を有する樹脂材料により構成されている。
透光性カバー体５９は、内部に筒体５７等を収容するカバー筒部５９１を有している。カバー筒部５９１は横断面形状が表側拡がりの台形状に似た形状を有している。
透光性カバー体５９はカバー筒部５９１の裏面に一対のレール５９３を有している。これにより、透光性カバー体５９の剛性を高めることができる。
一対のレール５９３は互いに平行な状態でカバー筒部５９１の長さ方向に沿って延伸する。一対のレール５９３は、図４及び図７に示すように、裏側に延伸した後、他のレール５９３に向かって延伸する逆「Ｌ」字状をしている。一対のレール５９３の間には後述のランプ側装着具７５が取り付けられている。
【００３０】
（６）位置決め体
位置決め体６３，６５について、共通の構成について説明した後、異なる構成について個別に説明する。
（６−１）共通
位置決め体６３，６５は、図５及び図８に示すように、透光性カバー体５９の横断面における内周形状に対応した外周形状を有する板部６３１，６５１と、板部６３１，６５１の周縁の上半分から透光性カバー体５９の内周面に沿って長さ方向の内側に張り出す張出部６３２，６５２と、板部６３１，６５１の周縁の下半分から長さ方向の内側に張り出す内鍔部６３３，６５３とを有する。なお、張出部６３２，６５２は、透光性カバー体５９の内周面に当接又は近接し、位置決め体６３，６５が倒れるのを防止している。
位置決め体６３，６５は、筒体５７に結合するためのねじ９３用の貫通孔６３１ａ，６５１ａと、蓋体６７，６９を筒体５７に結合するためのねじ９２用の貫通孔６３１ｂ，６５１ｂとを板部６３１，６５１に有する。
【００３１】
（６−２）一端側（位置決め体６３）
電源ユニット５５に近い位置決め体６３は、図５に示すように、外部ケーブル用の貫通孔６３１ｃを板部６３１に、外部ケーブルを引掛けて固定するための引掛け片６３４を板部６３１の表面にそれぞれ有する。
位置決め体６３は、図６に示すように、張出部６３２における天板と側板とが結合する部位に配線用の欠け部分６３２ａを有している。位置決め体６３は、筒体５７と嵌合する筒部６３６を貫通孔６３１ｃと連通する状態で板部６３１の裏面に有する。ここでの筒部６３６は張出部６３２よりも張り出している。位置決め体６３は、電源ユニット５５と光源ユニット５１とを電気的に接続する配線用の欠け部分６３６ａを筒部６３６の他端部に有する。
【００３２】
（６−３）他端側（位置決め体６５）
位置決め体６５は、図９に示すように、筒体５７と嵌合する筒部６５６を板部６５１の裏面に有する。ここでの筒部６５６は張出部６３２の張出量よりも小さい。位置決め体６５には導通片８１が設けられている。ここでは、図１２に示すように、位置決め体６５の裏面に形成された縦リブ６５７間に導通片８１の基部８１１が圧入されている。
【００３３】
（７）蓋体
蓋体６７，６９は、図６及び図９に示すように、透光性カバー体５９の端部に嵌合する嵌合溝６７１，６９１と、嵌合溝６７１，６９１の内周縁を連結する板部６７２，６９２とを備える。
図４の（ａ）及び図７の（ａ）に示すように、嵌合溝６７１，６９１は外周壁６７３，６９３と内周壁６７４，６９４を備える。外周壁６７３，６９３と透光性カバー体５９との間にパッキン７３が配される。内周壁６７４，６９４には横断面が「コ」字状をする環状のパッキン７１が被覆され、パッキン７１の外周側に透光性カバー体５９の端部が挿入される。
蓋体６７，６９は、図６及び図９に示すように、貫通孔６７５ａ，６９５ａを有する凹入部６７５，６９５を板部６７２，６９２に有する。貫通孔６７５ａ，６９５ａには、透光性カバー体５９の端部に嵌合溝６７１，６９１が嵌合する状態で、蓋体６７，６９を筒体５７に位置決め体６３，６５を介して結合するねじ９２が挿通する。
一端側の蓋体６７は、図５及び図６に示すように、外部ケーブル用の貫通孔を板部６７２に有し、当該貫通孔に防水・防湿用のパッキンコード８４が嵌め込まれている。
【００３４】
（８）端部カバー
直管形ランプ５は、図示しないが、器具３に装着すると、下半分が器具３から張り出す。ここで直管形ランプ５から端部カバー７７を外したものをランプ本体とする。
端部カバー７７は、図５及び図８に示すように、ランプ本体の端部であって器具３に装着した際に張り出す部分を覆う下カバー部７７１と、ランプ本体の端部であって器具３に装着した際に内部に収容される部分を覆う上カバー部７７２とを有する。
【００３５】
下カバー部７７１は、器具側端部カバー３２の表面３２ａ（図２参照）と対向する対向板部分７７３と、対向板部分７７３の幅方向の両端から延伸してランプ本体の表側の周面を覆う表周面部分７７４と、対向板部分７７３と表周面部分７７４とにおける長さ方向の外方側端部を塞ぐ下端面部分７７５とを有し、対向板部分７７３の裏側に上カバー部７７２が形成されている。
【００３６】
上カバー部７７２は、ランプ本体の蓋体６７，６９の端面の上半分に対向する上端面部分７７６と、蓋体６７，６９の上半分の周面を覆う裏周面部分７７７とを有する。上端面部分７７６の幅方向中央領域は、裏側が開放し且つ外側に膨出する膨出部分７７８となっており、一端側の端部カバー７７では外部ケーブルが配される。
端部カバー７７は、上端面部分７７６の貫通孔７７６ａを挿通するねじ９４が蓋体６７，６９のねじ穴６７２ａ，６９２ａに螺合することで、蓋体６７，６９（ランプ本体）に取り付けられる。
【００３７】
（９）ランプ側装着具
図１１を用いて説明する。
ランプ側装着具７５は、透光性カバー体５９の一対の逆「Ｌ」字状のレール５９３を利用して、透光性カバー体５９に取り付けられる。
ランプ側装着具７５は、各レール５９３の内面とカバー筒部５９１の裏面とで形成される溝に対向する内対向部７５１と、各レール５９３の外面と対向する外対向部７５２と有している。ここでは、外対向部７５２がねじ９５によりレール５９３に固定される。
内対向部７５１は、同図の（ａ）に示すように、透光性カバー体５９の長さ方向に間隔を置いて複数個（２個）あり、その間に外対向部７５２が設けられている。内対向部７５１は幅方向の内方側が開口する「コ」字状をしている。外対向部７５２は逆「Ｌ」字状をしている。
透光性カバー体５９のレール５９３が、ランプ側装着具７５の内対向部７５１と外対向部７５２により挟まれる構造であるため、ねじ９５で固定されていなくてもランプ側装着具７５はレール５９３から簡単に外れることがない。このため直管形ランプ５の組立作業を効率的に行うことができる。
【００３８】
ランプ側装着具７５は、幅方向に離間する内対向部７５１及び外対向部７５２の裏側端を連結する連結部７５３を一体で有している。連結部７５３は表側が開口する「コ」字状をしている。これにより、ランプ側装着具７５が一対のレール５９３から裏側に外れるのを防止できる。
連結部７５３には、器具３の器具側装着具３３の係止部３３１が表側から係止する。これにより、直管形ランプ５が器具３に着脱可能に装着される。ランプ側装着具７５は、表側に屈曲する屈曲部７５４を連結部７５３の長さ方向の内方側の端に有する。これにより、器具側装着具３３の係止部３３１との係合状態を外れ難くできる。
ランプ側装着具７５は、例えば、一枚の矩形状の金属板をプレス加工することで得られる。
【００３９】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していていない例や、要旨を逸脱しない範囲の設計変更があっても本発明に含まれる。
【００４０】
＜変形例＞
１．光源ユニット
実施形態では、ＬＥＤ素子５１１と基板５１３とで光源ユニット５１を構成したが、例えば、離間する複数個の導電片に１個又は複数個の発光素子が跨るように実装してなる光源ユニットでもよい。発光素子としてＬＥＤ素子を用いたが、ＬＤ素子やＥＬ素子等を利用してもよい。
複数個の発光素子の接続状態について特に説明していないが、複数個の発光素子を直列に接続してもよいし、並列に接続してもよいし、直並列に接続してもよい。
光源ユニット５１は、基板５１３に複数個のＬＥＤ素子５１１が実装されてなる光源モジュールを２個備えているが、光源モジュールを１個備えてもよいし、３個以上備えてもよい。３個の場合、支持体５３の平坦部分５３２の３組の係止部分５３５に係止されても良いし、２つの傾斜部分５３３の係止部分５３４と、平坦部分５３２の幅方向の中央の１組の係止部分５３５とにより係止されてもよい。
【００４１】
２．支持体
実施形態の支持体５３の板状部５３１は、平坦部分５３２と傾斜部分５３３とを有しているが、例えば、平坦部分がなく傾斜部分のみを有してもよいし、傾斜部分がなく平坦部分のみを有してもよい。傾斜部分５３３は、平坦部分５３２から幅方向に離れるにしたがって設置面側に近くづくように傾斜しているが、支持体における長さ方向に延伸する中心幅から離れるにしたがって表側に近づくように傾斜してもよいし、中心軸から離れるにしたがって表側に近づいた後に裏側に近づくように傾斜してもよい。つまり、光源ユニットを支持する部位の形状は特に限定するものではない。
実施形態の支持体５３は光源ユニット５１を係止部分５３５で係止しているが、他の構造で光源ユニットを固定してもよい。他の構造としては、接着剤、ねじ等がある。つまり、光源ユニットを固定する構造は特に限定するものではない。
【００４２】
３．電源ユニット
実施形態の電源ユニット５５は、電源回路を収容する電源ケース５５４を備えているが、絶縁シートで電源回路を包み込んで絶縁性を確保してもよい。
実施形態の電源ユニット５５は、長さ方向の一端側に配されていたが、例えば、電源回路を、交流電力から直流電力に変換する回路と、直流電力をＬＥＤ素子の点灯電力に変換する回路とを別々に備え、一方の回路を長さ方向の一端に配置し、他方の回路を長さ方向の他端に配置してもよい。
電源回路は、特に説明していないが、例えば、周辺の明るさに対応して点灯・消灯する自動点灯機能や調色機能等を備えるように回路構成されてもよい。つまり、電源ユニットは、光源ユニットに電力を供給できればよく、その回路構成やその他の構成は特に限定するものではない。
【００４３】
４．筒体
実施形態の筒体５７は、幅方向に長い矩形等の形状の断面を有しているが、他の断面形状あってもよい。他の形状としては、例えば、円形状、楕円形状、多角形状等がある。つまり、筒体は、内部に電源ユニットを収納できればよく、その形状・構造は特に限定するものではない。
【００４４】
５．筒体と支持体との装着
実施形態では、筒体５７と支持体５３の装着に係合構造を利用したが、他の構造であってもよい。他の構造としては、ねじ、リベット、接着（可塑性樹脂により支持体を構成する場合溶着を含む）等がある。
実施形態では、筒体５７の装着部と結合部とを第１Ｃ字状部５７４で構成したが、装着部と結合部とを別々に設けてもよい。
実施形態では、支持体５３の装着部の一例である係合片５３６は支持体５３の長さ方向に亘って連続して形成されているが、長さ方向に間隔をおいて複数個形成してもよい。
【００４５】
６．導通片と光源ユニット
実施形態では、位置決め体６５に設けられた導通片８１の基部８１１から板状に延伸する延伸部８１３が、光源ユニット５１の基板５１３の端子５１３ａの溝５１３ｂに嵌合することで電気的に接続している。
しかしながら、導通片は、２以上の光源モジュールを電気的に接続できればよく、他の構造であってもよい。以下、図１３を用いて２種類の接続構造について説明する。なお、ここでも、光源ユニット５１Ａ，５１Ｂは支持体５３Ａ，５３Ｂの平坦部分に配されている。
【００４６】
（１）例１
導電片８１Ａは、同図の（ａ）に示すように、板状の基部８１１Ａと、基部８１１Ａの幅方向の両端から柱状に延伸する延伸部８１３Ａとを備える。基部８１１Ａは位置決め体６５Ａに設けられている。延伸部８１３Ａは、断面が例えば円形状をしている。なお、延伸部の断面形状は、例えば、方形状、矩形状、楕円等他の形状であってもよい。
光源ユニット５１Ａは、基板５１３Ａの配線パターンの端子部にコネクタ５１４Ａを有している。コネクタ５１４Ａは柱状の延伸部８１３Ａが挿入接触する貫通孔を有している。
【００４７】
（２）例２
導電片８１Ｂは、同図の（ｂ）に示すように、板状の基部８１１Ｂと、基部８１１Ｂの幅方向の両端から逆「Ｖ」字状に屈曲する帯板状に延伸する延伸部８１３Ｂとを備える。基部８１１Ｂは位置決め体６５Ｂに設けられている。延伸部８１３Ｂは、「Ｖ」字状に延伸する延伸先端部分に、基板５１３Ｂと反対側に屈曲する屈曲部分８１５Ｂを有している。延伸部８１３Ｂは、基板５１３Ｂと接続する際に基板５１３Ｂの厚み方向に弾性変形し、接続後は基板５１３Ｂを復元力で押圧する。つまり、延伸部８１３Ｂは板バネ機能を有している。
光源ユニット５１Ｂは、基板５１３Ｂの長さ方向の端部に接続端子５１３ａＢを有し、接続端子５１３ａＢが導電片８１Ｂの延伸部８１３Ｂと接触する。
【符号の説明】
【００４８】
１    照明装置
３    器具
５    直管形ランプ
５１    光源ユニット
５３    支持体
５５    電源ユニット
５７    筒体
５９    透光性カバー体
６３，６５    位置決め体
６７，６９    蓋体
５３６    係合片（装着部）
５７４    第１Ｃ字状部（係合部）
【図１】
2020004662.tif 000003
【図２】
2020004662.tif 000004
【図３】
2020004662.tif 000005
【図４】
2020004662.tif 000006
【図５】
2020004662.tif 000007
【図６】
2020004662.tif 000008
【図７】
2020004662.tif 000009
【図８】
2020004662.tif 000010
【図９】
2020004662.tif 000011
【図１０】
2020004662.tif 000012
【図１１】
2020004662.tif 000013
【図１２】
2020004662.tif 000014
【図１３】
2020004662.tif 000015